(57)【要約】      （修正有）【課題】ポスターを掲示する位置の自由度及び掲示されたポスターの耐久性を高め、ポスターを目立つように効果的に表示し、また、コンビニなどの壁面看板やスタンド看板にも代用可能な内照式ポスター掲示装置を提供する。【解決手段】ポスター掲示面７ａに配置されるポスター３の形状に応じた外形を有する枠状に形成されるとともに、ポスター掲示面７ａに透明カバー８ａが設けられ、全体として扁平箱状となる本体部４と、本体部４（４Ｂ）の周縁５の四隅に着脱自在に設けられ、吸盤体を有し、吸盤体を平滑面である設置面２に吸着させることで本体部４Ｂをこの設置面２上に保持する保持部１３（１３Ｂ）と、本体部４Ｂの内部に設けられ、ポスター掲示面７ａに配置されたポスター３の裏面側から高照度光（５０００ルクス程度）を照射してこのポスター３の表面側を発光表示させる光源部とを備えた。【選択図】図７
2014016416.tif 000002
【特許請求の範囲】
【請求項１】
表面及び裏面のポスター掲示面（７）に配置されるポスター（３）の形状に応じた外形を有する枠状に形成されるとともに、前記表面及び裏面に板状の透明カバー（８）が設けられ、全体として扁平箱状となる本体部（４）と、
前記本体部の周縁（５）に設けられ、吸盤体（１４）を有し、前記吸盤体を平滑面である設置面（２）に吸着させることで前記本体部を該設置面上に保持する保持部（１３）と、
前記本体部の内部に設けられ、前記ポスター掲示面に配置されたポスターの裏面側から高照度光を照射して該ポスターの表面側を発光表示させる光源部（１８）と、
を備えることを特徴とする内照式ポスター掲示装置。
【請求項２】
前記保持部（１３Ａ）は、前記吸盤体と前記本体部（４Ａ）の前記周縁の間を接続する接続部材（１６）を有し、前記吸盤体を前記設置面に吸着させることで前記接続部材を介して前記本体部を該設置面上に保持することを特徴とする請求項１記載の内照式ポスター掲示装置。
【請求項３】
前記本体部（４Ａ）が一般的なポスターの各サイズに応じた略矩形の外形を有するとともに、前記保持部（１３Ａ）が前記本体部の上縁（５ａ）の両端付近及び下縁（５ｂ）の両端付近に設けられることを特徴とする請求項２記載の内照式ポスター掲示装置。
【請求項４】
前記本体部（４Ａ）の前記周縁における前記設置面と対向する面には軟質の合成樹脂からなる半球状のクッション部材（９）が設けられることを特徴とする請求項２又は３記載の内照式ポスター掲示装置。
【請求項５】
前記保持部（１３Ｂ）は、前記吸盤体の吸着面とは反対の面に設けられた取付凸部（３１）を有し、前記取付凸部が前記本体部（４Ｂ）の前記周縁における前記設置面と対向する面に設けられた取付凹部（４０）に嵌まり込んで該周縁に着脱自在に取り付けられるとともに、前記取付凸部と前記取付凹部からなる固定手段により固定されることを特徴とする請求項１記載の内照式ポスター掲示装置。
【請求項６】
前記本体部（４Ｂ）が一般的なポスターの各サイズに応じた略矩形の外形を有するとともに、前記保持部（１３Ｂ）が前記本体部の前記周縁の四隅に配設されることを特徴とする請求項５記載の内照式ポスター掲示装置。
【請求項７】
前記光源部から照射される前記高照度光の照度が５０００ルクス程度であることを特徴とする請求項１乃至６の何れかに記載の内照式ポスター掲示装置。
【発明の詳細な説明】
【技術分野】
【０００１】
本発明は、コンビニなどの店舗の窓ガラス面などに設置して、ポスターを掲示するとともに、この掲示されたポスターを発光表示させる内照式ポスター掲示装置に関する。
【背景技術】
【０００２】
従来、下記特許文献１に開示されるようなポスター掲示装置（ポスター掲示板）がある。図１５に示すように、このポスター掲示板１００は、一辺１０２ａにて接続されたベース薄板１０１と、透明カバー１０３とからなり、他の辺１０２ｂを開いた状態で挿入したポスター１０４を挟み込んだ後、他の辺１０２ｂを閉じてポスター１０４を収納するように構成されたものである。また、下記特許文献２には別のポスター掲示装置（ポスター掲示用吸盤体）が開示されている。図１６に示すように、このポスター掲示用吸盤体２００は、吸盤体２００の頂部にピン止め具２０１が設けられており、ピン止め具２０１にピン２０２を刺して止められたポスター２０３を、吸盤体２００を介して窓ガラス面などの平坦面に掲示することができるものである。
【先行技術文献】
【特許文献】
【０００３】
【特許文献１】特開２００９−８７７１号公報
【特許文献２】特開平１１−２２７１７号公報
【発明の概要】
【発明が解決しようとする課題】
【０００４】
しかしながら、上述したポスター掲示板１００は、その本体を設置するためにフックなどの部材が必要であった。例えば、このポスター掲示板１００をコンビニなどの店舗の壁面に設置する場合など、壁面にフックなどを取り付けなければならないが、フックなどを壁面に取り付けるということは壁面を傷つけることにもなるため、どこにでも気軽に設置することができるというものではなかった。すなわち、ポスターを掲示する位置の自由度が低いものであった。また、上述したポスター掲示用吸盤体２００は、吸盤体２００を壁面や窓ガラス面などの平坦面に吸着させることによりこの吸盤体２００を介してポスター２０３を掲示することができるもので、壁面や窓ガラスなどを傷つけることがないため、ポスター２０３を掲示する位置を自由に決められることから掲示位置の自由度は高いと言えるが、ポスター２０３が露出しており、さらに、ピン２０２を刺してポスター２０３を止めるなど、掲示されたポスター２０３の耐久性が低いものであった。
【０００５】
また、上述したポスター掲示板１００及びポスター掲示用吸盤体２００は共に、掲示された各ポスター１０４，２０３を目立つように効果的に表示するというものではなかった。
【０００６】
また、コンビニなどの出入口付近には、店内に設置されたＡＴＭで取り扱える銀行名や、酒やたばこなどの表示が施されたスタンド看板が設置されている。このようなスタンド看板は、比較的大きなものが店舗の外に設置されるため、通行の妨げになることがあった。さらに、スタンド看板や壁面看板は表示内容に変更があるときには看板ごと変えなければならないため、コストが嵩むなどの欠点があった。
【０００７】
そこで本発明は、上記状況に鑑みてなされたもので、ポスターを掲示する位置の自由度及び掲示されたポスターの耐久性を高め、また、掲示されたポスターを目立つように効果的に表示し、さらに、コンビニなどのスタンド看板や壁面看板に代用することで、通行の妨げにならず、表示内容の変更にかかっていたコストを減らせる安価な看板となる、内照式ポスター掲示装置を提供することを目的としている。
【課題を解決するための手段】
【０００８】
次に、上記の課題を解決するための手段を、実施の形態に対応する図面を参照して説明する。
本発明に係る請求項１記載の内照式ポスター掲示装置は、表面及び裏面のポスター掲示面７（７ａ，７ｂ）に配置されるポスター３，３の形状に応じた外形を有する枠状に形成されるとともに、前記表面及び裏面に板状の透明カバー８（８ａ，８ｂ）が設けられ、全体として扁平箱状となる本体部４（４Ａ，４Ｂ）と、
前記本体部４（４Ａ，４Ｂ）の周縁５に設けられ、吸盤体１４を有し、前記吸盤体１４を平滑面である設置面２に吸着させることで前記本体部４（４Ａ，４Ｂ）を該設置面２上に保持する保持部１３（１３Ａ，１３Ｂ）と、
前記本体部４（４Ａ，４Ｂ）の内部に設けられ、前記ポスター掲示面７ａ，７ｂに配置されたポスター３，３の裏面側から高照度光を照射して該ポスター３，３の表面側を発光表示させる光源部（光拡散ユニット）１８と、
を備えることを特徴としている。
【０００９】
このような構成によれば、保持部１３（１３Ａ，１３Ｂ）の吸盤体１４は設置面２に対して着脱容易であるため、設置面２上において、本体部４（４Ａ，４Ｂ）を設置する位置、すなわち、ポスター３を掲示する位置を自由に選択又は変更することが可能となる。また、ポスター掲示面７ａ，７ｂに配置されたポスター３，３は、扁平箱状の本体部４（４Ａ，４Ｂ）により覆われているため、掲示されたポスター３，３は傷つきにくいものとなりその耐久性が高まる。さらに、ポスター掲示面７ａ，７ｂに配置されたポスター３，３は、高照度光の照射により発光表示され、目立つようになる。すなわち、掲示されたポスター３，３を目立つように効果的に表示することができる。
【００１０】
また、本体部４（４Ａ，４Ｂ）の表面及び裏面がポスター掲示面７ａ，７ｂとなることから、例えば窓ガラス面に設置することにより、店舗の内外のそれぞれにポスター３，３の内容を表示することができる。このとき、本体部４（４Ａ，４Ｂ）の各ポスター掲示面７ａ，７ｂに表示内容の異なるポスター３，３を配置するなどすれば、バリエーションに富んだポスター掲示となる。
【００１１】
請求項２記載の内照式ポスター掲示装置は、請求項１記載の内照式ポスター掲示装置において、前記保持部１３（１３Ａ）は、前記吸盤体１４と前記本体部４（４Ａ）の前記周縁５の間を接続する接続部材１６を有し、前記吸盤体１４を前記設置面２に吸着させることで前記接続部材１６を介して前記本体部４（４Ａ）を該設置面２上に保持することを特徴としている。
【００１２】
このような構成によれば、本体部４（４Ａ）の周縁５から離れた位置に吸盤体１４を吸着させるため、吸盤体１４がポスター掲示面を遮らないようになる。これにより、ポスター掲示面７ａ，７ｂに配置されたポスターを明瞭に表示することができる。
【００１３】
請求項３記載の内照式ポスター掲示装置は、請求項２記載の内照式ポスター掲示装置において、前記本体部４（４Ａ）が一般的なポスターの各サイズに応じた略矩形の外形を有するとともに、前記保持部１３（１３Ａ）が前記本体部４（４Ａ）の上縁５ａの両端付近及び下縁５ｂの両端付近に設けられることを特徴としている。
【００１４】
このような構成によれば、本体部４（４Ａ）の上縁５ａに設けられた保持部１３（１３Ａ）がこの本体部４（４Ａ）を吊り下げ、本体部４（４Ａ）の下縁に設けられた保持部１３（１３Ａ）が設置面２から離れないようにこの本体部４（４Ａ）を押えるため、本体部４（４Ａ）の確実な保持が可能となる。
【００１５】
請求項４記載の内照式ポスター掲示装置は、請求項２又は３記載の内照式ポスター掲示装置において、前記本体部４（４Ａ）の前記周縁５における前記設置面２と対向する面には軟質の合成樹脂からなる半球状のクッション部材９が設けられることを特徴としている。
【００１６】
このような構成によれば、本体部４（４Ａ）が設置面２に当接することによる本体部４（４Ａ）又は設置面２の破損を防止することができる。
【００１７】
請求項５記載の内照式ポスター掲示装置は、請求項１記載の内照式ポスター掲示装置において、前記保持部１３（１３Ｂ）は、前記吸盤体１４の吸着面１４ａとは反対の面に設けられた取付凸部３１を有し、前記取付凸部３１が前記本体部４（４Ｂ）の前記周縁５における前記設置面２と対向する面に設けられた取付凹部４０に嵌まり込んで該周縁５に着脱自在に取り付けられるとともに、前記取付凸部３１と前記取付凹部４０からなる固定手段により固定されることを特徴としている。
【００１８】
このような構成によれば、保持部１３（１３Ｂ）が本体部４（４Ｂ）の周縁５に対して着脱自在に取り付けられることから、設置面２に設置した後は保持部１３（１３Ｂ）を設置面２に残したまま本体部４（４Ｂ）だけをこの設置面２から取り外すことができる。また、本体部４（４Ｂ）を再び取り付けるときは設置面２に残りすでに位置決めされている保持部１３（１３Ｂ）に取り付けるだけで済むようになる。これにより、本体部４（４Ｂ）の取り付けや取り外しが容易となる。
【００１９】
請求項６記載の内照式ポスター掲示装置は、請求項５記載の内照式ポスター掲示装置において、前記本体部４（４Ｂ）が一般的なポスターの各サイズに応じた略矩形の外形を有するとともに、前記保持部１３（１３Ｂ）が前記本体部４（４Ｂ）の前記周縁５の四隅に配設されることを特徴としている。
【００２０】
このような構成によれば、保持部１３（１３Ｂ）（特に吸盤体１４）がポスター掲示面７ａ，７ｂを遮らないようになるため、ポスター掲示面７ａ，７ｂに配置されたポスター３，３を明瞭に表示することができる。また、保持部１３（１３Ｂ）が本体部４（４Ｂ）の外側に突出することを抑えるため、本体部４（４Ｂ）と保持部１３（１３Ｂ）はユニット化されてコンパクトになるとともに、意匠的に見栄えがよくなる。
【００２１】
請求項７記載の内照式ポスター掲示装置は、請求項１乃至６の何れかに記載の内照式ポスター掲示装置において、前記光源部（光拡散ユニット）１８から照射される高照度光の照度が５０００ルクス程度であることを特徴としている。
【００２２】
このような構成によれば、ポスター掲示面７ａ，７ｂに配置されたポスター３，３が普通紙などであっても、このポスター３，３を好適に発光表示させることができる。
【発明の効果】
【００２３】
本発明に係る内照式ポスター掲示装置によれば、ポスターを掲示する位置を自由に選択又は変更することが可能となり、ポスターを掲示する位置の自由度が高まる。また、掲示されたポスターの耐久性が高まる。さらに、掲示されたポスターを目立つように効果的に表示することができる。
【００２４】
また、コンビニなどのスタンド看板に代用すれば、店舗の外に設置場所が不要で、通行の妨げにならない看板となる。さらに、これまでのスタンド看板や壁面看板のような表示内容が変更になるたびにかかっていたコストを減らせる安価な看板となる。
【図面の簡単な説明】
【００２５】
【図１】本発明の第１の実施の形態を設置した状態を示す斜視図である。
【図２】（ａ）同実施の形態を示す平面図である。  （ｂ）同正面図である。  （ｃ）同側面図である。
【図３】同実施の形態（光源部を除く）を示す斜視図である。
【図４】同実施の形態が備える本体部上部を示す拡大断面図である。
【図５】同実施の形態を設置した状態において、本体部上部を示す拡大断面図である。
【図６】同実施の形態が備える光源部の発光原理の説明図である。
【図７】本発明の第２の実施の形態を設置した状態を示す斜視図である。
【図８】（ａ）同実施の形態を示す平面図である。  （ｂ）同正面図である。  （ｃ）同側面図である。  （ｄ）同背面図である。
【図９】同実施の形態（光源部を除く）を示す斜視図である。
【図１０】図８におけるＡ−Ａ断面図である。
【図１１】図８におけるＢ−Ｂ断面図である。
【図１２】（ａ）同実施の形態が備える固定手段（保持部側）を示す斜視図である。  （ｂ）同実施の形態が備える固定手段（本体部側）を示す斜視図である。
【図１３】（ａ），（ｂ）同実施の形態が備える固定手段の動作を示す模式的な断面図である。
【図１４】同実施の形態を設置した状態において、本体部上部を示す拡大断面図である。
【図１５】従来のポスター掲示装置（ポスター掲示板）を示す斜視図である。
【図１６】従来のポスター掲示装置（ポスター掲示用吸盤体）を示す断面図である。
【発明を実施するための形態】
【００２６】
以下、本発明の各実施の形態を図面を参照して具体的に説明する。
図１及び７に示すように、この実施の形態、すなわち、内照式ポスター掲示装置１（１Ａ，１Ｂ）は、コンビニなどの店舗において、設置面となる窓ガラス面２に設置して店舗の外に向けてポスター３を掲示するものであるとともに、掲示するポスター３の表示内容をコンビニの店内に設置されたＡＴＭで取り扱える銀行名などとしてスタンド看板や壁面看板の代わりに用いるものである。
【００２７】
「第１の実施の形態」
図２乃至５に示すように、内照式ポスター掲示装置１Ａは、本体部４（４Ａ）と、保持部１３（１３Ａ）と、光源部１８とを備えている。図２に示すように、本体部４Ａは、その周縁５、すなわち、上縁５ａ、下縁５ｂ、左側縁５ｃ及び右側縁５ｄがＡＥＳ樹脂などの軽量材からなり、周縁５を構成するこれらの上縁５ａ、下縁５ｂ、左側縁５ｃ及び右側縁５ｄのそれぞれの両端が各ジョイント部材６によって接合されることにより、略矩形の外形を有する枠状となる。本体部４Ａは、ポスター３が配置されるポスター掲示面７となる表面７ａ及び裏面７ｂのそれぞれの開口がアクリル樹脂などからなる透明カバー８（８ａ，８ｂ）にて覆われており、これらの透明カバー８ａ，８ｂを含めると、密閉された扁平箱状となる。
【００２８】
また、本体部４Ａは、上述したように、略矩形の外形を有するものであるが、具体的には、ポスター掲示面７ａ，７ｂに配置される一般的なポスター３の各サイズ（Ａ２判又はＢ２判）に応じた外形を有するものである。
【００２９】
図２（特に（ｂ）及び（ｃ））に示すように、本体部４Ａの上縁５ａの両端付近及び下縁５ｂの両端付近には軟質の合成樹脂からなる半球状のクッション部材９が設けられている。なお、上縁５ａ及び下縁５ｂにおいて、クッション部材９が設けられている面は、ポスター掲示装置１Ａを平滑面である設置面（窓ガラス面２）に設置したときにこの窓ガラス面２と対向する面となる。
【００３０】
図４及び５に示すように、本体部４Ａの各ポスター掲示面７ａ，７ｂには、ポスター３を配置するためのポスター配置部１０が設けられている。ポスター配置部１０は、本体部４Ａの上縁５ａ、下縁５ｂ、左側縁５ｃ及び右側縁５ｄを組み合わせたときにポスター３の周縁部を挟むように設けられた鉤状の挟持片１１により形成されている。なお、ポスター配置部１０にはポスター３の他、ポスター３を支持するためのアクリル樹脂などの透明部材からなる裏当板１２も一緒に配置される（図５参照）。
【００３１】
図２に示すように、保持部１３Ａは、略円形の吸盤体１４と、接続部材１６とからなり、本体部４Ａの上縁５ａ及び下縁５ｂに２つずつ（合計４つ）設けられている。吸盤体１４は、その吸着面１４ａが本体部４Ａの表面側を向くように配置されている。また、吸盤体１４の裏面にはフック１５が設けられている。接続部材１６は、吸盤体１４と本体部４Ａの上縁５ａ及び下縁５ｂの間を接続する金具であり、図４及び５に示すように、一端部が本体部４Ａの上縁５ａ（又は下縁５ｂ）に固定されている。また、図２（ｂ）に示すように、他端部には孔１７が設けられており、この孔１７に吸盤体１４のフック１５を引っ掛けることにより、他端部は吸盤体１４に着脱自在に取り付けられる。
【００３２】
図５に示すように、保持部１３Ａは、吸盤体１４を窓ガラス面２に吸着させることで接続部材１６を介して本体部４Ａをこの窓ガラス面２上に保持することができる。
【００３３】
図４及び５に示すように、本体部４Ａの内部には光源部としての光拡散ユニット１８が設けられている。光拡散ユニット１８は、光源となる発光ダイオード（ＬＥＤ）素子を備えたＬＥＤユニット１９と、樹脂材などからなり、アルミフレーム２１を介して隙間をあけて対向配置された略矩形の２枚の光拡散シート２０とを備えている。図６に示すように、ＬＥＤユニット１９は、光拡散シート２０の一端縁（上下左右のいずれか１つの端縁）に設けられている。また、２枚の光拡散シート２０のそれぞれの面は光の拡散効果が最大となるように加工されている。ＬＥＤ１９から照射された光は、光拡散ユニット１８の内部空間を乱反射し、光拡散シート２０に当たることで反射角度が変化し、所定の反射角度となることで２枚の光拡散シート２０のいずれかの面から外部に出る。これにより、光拡散ユニット１８は両面発光し、ポスター掲示面７ａ，７ｂに配置されたポスター３，３の裏面側に光を照射する。
【００３４】
また、光拡散ユニット１８から照射される光は、高輝度であり、且つ高照度光（５０００ルクス程度）である。このような高照度光を用いると、ポスター３が普通紙であっても、ポスター３の表面側を発光表示させることができる。具体的には、Ａ２判のポスターに用いる場合には５２００〜７５００ルクスの範囲の照度が望ましく、Ｂ２判のポスターに用いる場合には３７００〜４４００ルクスの範囲の照度が望ましいが、５０００ルクスの照度があればこれらの両方に対応させることが可能となる。
【００３５】
第１の実施の形態によれば、保持部１３Ａの吸盤体１４が着脱容易であるため、窓ガラス面２上において、本体部４Ａを設置する位置、すなわち、ポスター３を掲示する位置を自由に選択又は変更することが可能となる。また、ポスター掲示面７ａ，７ｂに配置されたポスター３，３は、扁平箱状の本体部４Ａにより覆われているため、掲示されたポスター３，３は傷つきにくいものとなりその耐久性が高まる。さらに、ポスター掲示面７ａ，７ｂに配置されたポスター３，３は、高照度光の照射により発光表示され、目立つようになる。すなわち、掲示されたポスター３，３を目立つように効果的に表示することができる。
【００３６】
また、本体部４Ａのポスター掲示面７ａ，７ｂに表示内容の異なるポスター３，３を配置するなどすれば、バリエーションに富んだポスター掲示となる。
【００３７】
さらに、本体部４Ａの上縁５ａに設けられた保持部１３Ａがこの本体部４Ａを吊り下げ、本体部４Ａの下縁５ｂに設けられた保持部１３Ａが窓ガラス面２から離れないようにこの本体部４Ａを押えるため、本体部４Ａの確実な保持が可能となる。
【００３８】
また、光拡散ユニット１８から照射される光が高照度光（５０００ルクス程度）であることから、ポスター掲示面７ａ，７ｂに配置されたポスター３，３が普通紙などであっても、これらのポスター３，３を好適に発光表示させることができる。
【００３９】
さらに、本体部４Ａに設けられたクッション部材９によって、本体部４Ａが窓ガラス面２に当接することによる本体部４Ａ又は窓ガラス面２の破損を防止することができる。
【００４０】
「第２の実施の形態」
なお、第２の実施の形態において、上述した第１の実施の形態と同一（又は同等）の箇所には同一の符号を付し、その説明を省略する。
図７乃至１１に示すように、内照式ポスター掲示装置１Ｂは、本体部４（４Ｂ）と、保持部１３（１３Ｂ）と、光源部（光拡散ユニット）１８とを備えている。この本体部４Ｂも、上述した本体部４Ａと同様に略矩形の外形を有するものであり、具体的には、ポスター掲示面７ａ，７ｂに配置される一般的なポスター３の各サイズ（Ａ２判又はＢ２判）に応じた外形を有するものである。
【００４１】
図８及び９に示すように、保持部１３Ｂは、本体部４Ｂの周縁５における設置面となる窓ガラス面２と対向する面の四隅に配設されている。図１２（ａ）に示すように、保持部１３Ｂは、略円形の吸盤体１４と、吸盤体１４の吸着面１４ａ（図８参照）とは反対の面に設けられた略円形のベース部材３０と、ベース部材３０の中央にこのベース部材３０から突出して設けられた円柱状の取付凸部３１とからなる。取付凸部３１の略円形の突出端面３２には、その中央に抜止部３３が設けられ、抜止部３３周りの同心円上に複数（２つ）のピン３７，３７が設けられている。抜止部３３は、突出端面３２から突出して設けられた胴部３４と、胴部３４の端部に設けられた円板状のフランジ部３５とからなる。図１３に示すように、胴部３４は、その周面に対向する２つの平面３４ａ，３４ａを有している。また、図１２（ａ）に示すように、抜止部３３（フランジ部３５）の中央には胴部３４まで通じた円形凹部３６が設けられている。さらに、２つのピン３７，３７は、抜止部３３を挟んで対向するように設けられている。なお、取付凸部３１の内部には吸盤体１４を強固に吸着させるための機構が設けられている。この機構は、吸盤体１４を窓ガラス面２に吸着させたときに、吸着面１４ａの中央部分を窓ガラス面２ａとは反対の方向に引き付けるように動作して窓ガラス面２と吸着面１４ａの間に真空を形成するものである。図１２（ａ）において取付凸部３１の周面に形成された切欠き３８やこの切欠きから外部に突出したレバー３９は上述した機構を構成するものであり、吸盤体１４を吸着させてからレバー３９を切欠き３８に沿って回動させると窓ガラス面２と吸着面１４ａの間が真空となり、吸盤体１４の吸着力が強化される。
【００４２】
本体部４Ｂの周縁５の四隅には取付凹部４０が設けられている。厳密にはこの取付凹部４０は、周縁５を構成する上縁５ａ、下縁５ｂ、左側縁５ｃ及び右側縁５ｄのそれぞれの両端を接続させる各ジョイント部材６に設けられている。取付凹部４０の底面４０ａには、取付凸部３１の抜止部３３のフランジ部３５が挿通される大径穴４１と、抜止部３３周りのピン３７，３７が挿通される２つの小径穴４２，４２とが設けられている。なお、大径穴４１は、フランジ部３５の径よりも僅かに大径に形成された略円形の穴であり、小径穴４２は、ピン３７の径よりも僅かに大径に形成された略円形の穴である。また、取付凹部４０には、先端面が大径穴４１の中央に配置された円形凸部４３が設けられている。この円形凸部４３は、その先端面が抜止部３３の円形凹部の径よりも僅かに小径に形成されている。さらに、取付凹部４０の底面４０ａの裏側には、ジョイント部材６の角部から板状の操作部４５が突出した可動板４４が設けられている。可動板４４は、スライド可能であり、ジョイント部材６に対して進退自在に設けられており、図１３に示すように、取付凹部４０の底面４０ａの裏側において、略コ字形の規制部４６を構成する２つの辺４６ａ，４６ａの間に抜止部３３の胴部３４の周面（２つの平面３４ａ，３４ａ）が嵌まり込むことで大径穴４１に挿通されたフランジ部３５の抜け止めとなる。
【００４３】
保持部１３Ｂの取付凸部３１と本体部４Ｂの取付凹部４０は、本体部４Ｂに保持部１３Ｂを取り付けたときの固定手段となる。取付凸部３１を取付凹部４０に嵌め込むと、図１３（ａ）に示すように、抜止部３３フランジ部３５が大径穴４１に挿通され、抜止部３３のピン３７，３７がそれぞれ小径穴４２，４２に挿通され、取付凸部３１、すなわち、保持部１３Ｂの軸方向の回転が規制された状態となる。なお、このとき、抜止部３３の円形凹部３６には大径穴４１の凸部４３が挿通されている。その後、図１３（ｂ）に示すように、可動板４４をジョイント部材６に押し込むようにスライドさせると、２つの辺４６ａ，４６ａの間に胴部３４の２つの平面３４ａ，３４ａが嵌まり込み、フランジ部３５を２つの辺４６ａ，４６ａで大径穴４１の内部に保持してこれを抜け止めする。これにより、取付凹部４０に嵌まり込んだ取付凸部３１は嵌入状態で固定される。また、この嵌入状態から可動板４４を逆向きにスライドさせると、２つの辺４６ａ，４６ａによるフランジ部３５の規制が解除（固定解除）される。このように、保持部１３Ｂは本体部４Ｂに対して、固定手段を介して着脱自在に取り付けられる。
【００４４】
図１４に示すように、この実施の形態においても、上述した第１の実施の形態と同様に保持部１３Ｂの吸盤体１４を窓ガラス面２に吸着させることで本体部４Ｂをこの窓ガラス面２上に保持することができる。これに加えて、この実施の形態では保持部１３Ｂが本体部４Ｂの周縁５に配置されて本体部４Ｂと一体化されているため、第１の実施の形態よりもその保持力（吸盤体１４の吸着力）は更に強いものとなる。
【００４５】
また、この実施の形態においても、光源部としての光拡散ユニット１８は、図６を参照して説明した発光原理に基づいて発光し、ポスター掲示面７ａ，７ｂに配置されたポスター３，３の裏面側に５０００ルクス程度の高照度光を照射する。
【００４６】
第２の実施の形態によれば、上述した第１の実施の形態同様、保持部１３Ｂの吸盤体１４が着脱容易であるため、窓ガラス面２上において、本体部４Ｂを設置する位置、すなわち、ポスター３を掲示する位置を自由に選択又は変更することが可能となる。また、ポスター掲示面７ａ，７ｂに配置されたポスター３，３は、扁平箱状の本体部４Ｂにより覆われているため、掲示されたポスター３，３は傷つきにくいものとなりその耐久性が高まる。さらに、ポスター掲示面７ａ，７ｂに配置されたポスター３，３は、高照度光の照射により発光表示され、目立つようになる。すなわち、掲示されたポスター３，３を目立つように効果的に表示することができる。
【００４７】
また、上述した第１の実施の形態同様、本体部４Ｂのポスター掲示面７ａ，７ｂに表示内容の異なるポスター３，３を配置するなどすれば、バリエーションに富んだポスター掲示となる。
【００４８】
さらに、上述した第１の実施の形態同様、光拡散ユニット１８から照射される光が５０００ルクス程度の高照度光であることから、ポスター掲示面７ａ，７ｂに配置されたポスター３，３が普通紙などであっても、これらのポスター３，３を好適に発光表示させることができる。
【００４９】
また、保持部１３Ｂが本体部４Ｂの周縁５に対して着脱自在に取り付けられることから、窓ガラス面２に設置した後は保持部１３Ｂを窓ガラス面２に残したまま本体部４Ｂだけをこの窓ガラス面２から取り外すことができる。本体部４Ｂを再び取り付けるときには窓ガラス面２に残りすでに位置決めされている保持部１３Ｂに取り付けるだけで済むようになる。これにより、本体部４Ｂの取り付けや取り外しが容易となり、ポスター３の交換や本体部４Ｂのメンテナンスなどの作業性が向上する。
【００５０】
さらに、本体部４Ｂを取り付けたときに保持部１３Ｂの吸盤体１４がポスター掲示面７ａ，７ｂを遮らないようになるため、ポスター掲示面７ａ，７ｂに配置されたポスター３，３を明瞭に表示することができる。また、保持部１３Ｂが本体部４Ｂの外側に突出することを抑えるため、本体部４Ｂと保持部１３Ｂはユニット化されてコンパクトになるとともに、意匠的に見栄えがよくなる。
【００５１】
また、第１及び第２の実施の形態は、本体部４がＡＥＳ樹脂などの軽量材を用いて構成されるとともに、光源部としての光拡散ユニット１８が光拡散シート２０を用いて軽量に構成されることにより大幅な軽量化を図っている。なお、このような装置は重量物になりがちでその取付方法や取付位置については安全管理上の制約があるが、上記構成とすることにより、吸盤体１４による取付方法を選択することが可能となり、その取付位置についても比較的自由に選べるようになる。
【００５２】
そして、第１及び第２の実施の形態は共に、スタンド看板や壁面看板に適用したときに店舗の外に設置場所が不要となり、特にスタンド看板のような通行の妨げにはならない。また、これまでのスタンド看板や壁面看板のような表示内容が変更になるたびにかかっていたコストを削減することができ、安価となる。
【００５３】
なお、上述した各実施の形態では、本体部４（４Ａ，４Ｂ）は一般的なポスターの形状に適合するように略矩形の外形としているが、例えばポスターが三角形、その他の多角形、ハート形など、様々な形状であれば、これにあわせるように本体部４（４Ａ，４Ｂ）を様々な外形とすることもできる。これにより、更に視覚効果の高いポスター掲示が可能となり、ポスター掲示装置としても、意匠性の高いものとなる。
【符号の説明】
【００５４】
１（１Ａ，１Ｂ）…内照式ポスター掲示装置、２…設置面となる窓ガラス面、３…ポスター、４（４Ａ，４Ｂ）…本体部、５…周縁、５ａ…上縁、５ｂ…下縁、５ｃ…左側縁、５ｄ…右側縁、６…ジョイント部材、７（７ａ，７ｂ）…ポスター掲示面、８（８ａ，８ｂ）…透明カバー、９…クッション部材、１０…ポスター配置部、１１…挟持片、１２…裏当板、１３（１３Ａ，１３Ｂ）…保持部、１４…吸盤体、１４ａ…吸着面、１５…フック、１６…接続部材、１７…孔、１８…光源部（光拡散ユニット）、１９…ＬＥＤユニット、２０…光拡散シート、２１…アルミフレーム、３１…取付凸部、４０…取付凹部
【図１】
2014016416.tif 000003
【図２】
2014016416.tif 000004
【図３】
2014016416.tif 000005
【図４】
2014016416.tif 000006
【図５】
2014016416.tif 000007
【図６】
2014016416.tif 000008
【図７】
2014016416.tif 000009
【図８】
2014016416.tif 000010
【図９】
2014016416.tif 000011
【図１０】
2014016416.tif 000012
【図１１】
2014016416.tif 000013
【図１２】
2014016416.tif 000014
【図１３】
2014016416.tif 000015
【図１４】
2014016416.tif 000016
【図１５】
2014016416.tif 000017
【図１６】
2014016416.tif 000018